(57)【要約】【課題】透明シート部材が局所的に原稿台ガラスに当接して形成される微少の空気層による不規則な干渉縞の発生を抑えることができる原稿送り装置を提供する。【解決手段】画像読取手段の上方に載置され、シート原稿がセットされる原稿トレイと、前記原稿トレイ上のシート原稿を前記画像読取手段で読み取るために透明平面板上の画像読取位置へ搬送する上流側搬送手段と、前記画像読取位置を通過したシート原稿を排出トレイへ搬送する下流側搬送手段と、前記透明平面板と前記上流側搬送手段及び前記下流側搬送手段との間に配置され、搬送されるシート原稿の裏面側をガイドするガイド手段と、前記ガイド手段と所定の間隔をもって対向し、搬送されるシート原稿の表面側をガイドする透明シート部材と、前記画像読取位置における前記透明シート部材と前記透明平面板との間隔を所定量に保持する手段とを備えた。【選択図】      図３
2004250147.tif 000002
【特許請求の範囲】
【請求項１】
シート原稿を画像読取手段で読み取るために透明平面板上の画像読取位置へ搬送する搬送手段と、
前記搬送手段により搬送されるシート原稿の裏面側を前記画像読取位置近傍においてガイドするガイド手段と、
前記ガイド手段と所定の間隔をもって対向し、前記シート原稿の表面側をガイドする透明シート部材と、
前記画像読取位置近傍における前記透明シート部材と前記透明平面板との間隔を所定量に保持する間隔保持手段とを備えたことを特徴とする原稿送り装置。
【発明の詳細な説明】
【０００１】
【発明の属する技術分野】
本発明は、デジタル複写機やプリンタ、あるいはファクシミリ等の画像形成装置などに使用される原稿送り装置に関する。
【０００２】
【従来の技術】
デジタル複写機やプリンタ、あるいはＦＡＸ等の画像形成装置において、原稿の画像情報を読み取るために、原稿台ガラス上の読取位置へ原稿を自動的に送るように構成した自動原稿搬送装置（ＡＤＦ：Ａｕｔｏ  Ｄｏｃｕｍｅｎｔ  Ｆｅｅｄｅｒ）は、従来より知られている。近年の急速なデジタル化等により、ＡＤＦ装置は、より高精度且つ高速な画像の読取性能を求められている。
【０００３】
従来、原稿台ガラスの上方にＡＤＦ装置を設置し、ＡＤＦ装置による原稿の流し読みを行なうＡＤＦモードと、原稿台ガラス上に原稿をセットして光学系を移動させて読み取りを行うブックモードの２つの読取モードを備える画像読取装置に搭載されるＡＤＦ装置において、排出トレイの上方に原稿トレイを重ねて配置し、原稿トレイから読取位置を通過して排出トレイまで導く原稿搬送路をＵターンパスで構成することにより、占有面積を減らして装置の小型化を図ったものが知られている（例えば、特許文献１、特許文献２、及び特許文献３参照）。
【０００４】
この種のＡＤＦ装置には、原稿の表面側をガイドする部材として透明なフィルム部材を設けたものがある。この形式の利点は、
（１）原稿外側をガイドする部材が複数部材で構成されている場合とは異なり、読取位置上流側から読取位置を経て排出トレイに至るまで障害物がなく、スムーズに搬送することができる。特に、読取位置から排出トレイにまで導く排紙ガイド部材に原稿先端が突入するときのショックを軽減できる。
【０００５】
（２）読取位置から排紙ガイド部材に原稿をすくい上げる構成を設ける必要がないため、ＡＤＦモードの読取位置をブックモードの画像読取領域内と別に設ける必要がなく、容易な構成で更なる装置の小型化を図ることができる。
などが挙げられる。
【０００６】
図１５は、従来のＡＤＦ装置の一例を示す構成図であり、上述のようなＵターンパスで構成され且つ原稿表面側ガイド部材として透明シート部材を用いた構成となっている。また、図１６は、従来のＡＤＦ装置の主要部分を拡大した断面図であり、図１７は、図１６におけるＡ−Ａ断面図である。例に挙げるＡＤＦ装置は図示しない画像形成装置の上に搭載されているものとする。
【０００７】
図１５中の１は原稿トレイ、２は原稿の側部を規制する幅規制板である。３はピックアップローラであり、原稿を給送するため図１６における原稿上面３’の位置まで下降してピックアップを行う。４は分離ローラであり、対向する分離パッド５と常に接触し摩擦分離を行って原稿を一枚ずつ搬送する。６は第一搬送ローラ、７は搬送コロである。
【０００８】
原稿分離された原稿は、内ガイド１０と外ガイド１８で形成されて下方に湾曲傾斜した搬送路を進み、読取ポイントＱ直前の読取前ローラ１１及び読取加圧コロ１２を経て、読取ポイントＱまで搬送される。読取ポイントＱ付近の原稿裏側をガイドする部材を読取ガイド１３と称す。この読取ガイド１３の対向側に位置し、原稿表側をガイドする手段として、透明シート部材であるガイドマイラ１４が装着されている。
【０００９】
ガイドマイラ１４は、例えばポリエステル等からなる透明なプラスチックフィルムであり、１００μｍ程度の厚みで構成されている。ガイドマイラ１４をボス部により係止している部材をマイラホルダ１９と称する。ガイドマイラ１４は一端がマイラホルダ１９のボス部１９ａで係止され、もう一端が原稿台ガラス６２を経て排紙ガイド２０に乗っている。読取ガイド１３は、読取ポイントＱと対向する面が原稿台ガラス６２と平行な平面部１３１と、その平面部１３１と上流側、下流側にそれぞれ連なって円弧状に湾曲傾斜している上流側傾斜部１３２と、下流側傾斜部１３３とによって形成されている。
【００１０】
また、読取ガイド１３は、回動支点１３４を中心に回動自在に装着され、ばね２１により原稿台ガラス６２側の方向へ付勢されている。また、図１７に示すように、搬送方向に直交する方向の平面部１３１の両端には突き当て突起１３５が設けられ、この突き当て突起１３５がガイドマイラ１４を挟んで原稿台ガラス６２に当接することから、ガイドマイラ１４との微少間隔ｄが一定に保持される。従って、ガイドマイラ１４は読取ポイントＱ付近で原稿台ガラス６２と接し、原稿画像はこのガイドマイラ１４と原稿台ガラス６２を通して読み取られる。
【００１１】
読取ポイントＱを通過した原稿は、上方に傾斜した排紙ガイド２０の上に装着されたガイドマイラ１４に沿って搬送され、排紙ローラ１５及び排紙加圧コロ１６により排出トレイ１７に排紙される。すなわち、このＡＤＦ装置は、原稿トレイ１から読取ポイントＱを通過して排出トレイ１７に至るまでの搬送路をＵターンパスで構成されている。
【００１２】
ＡＤＦ装置による画像読み取りは、図示しない原稿読取装置の光学系が読取ポイントＱの真下に固定され、ランプ光（白色光）によって読取ポイントＱを通過する原稿を照射し、その反射光をＣＣＤなどの光電変換素子により読み取られる。
【００１３】
【特許文献１】
特許２５２７４３１号公報
【特許文献２】
特開平９−８６７２０号公報
【特許文献３】
特開平９−８６７２１号公報
【００１４】
【発明が解決しようとする課題】
しかしながら、上記従来の、原稿表面側ガイド部材を透明シート部材で構成したＡＤＦ装置では、ＡＤＦモードで読み取った画像に、図１８に示すような単色や数色で形成された縞模様の光の干渉縞（ニュートンリング）が不規則な位置に発生してしまうという問題があった。
【００１５】
光の干渉縞が発生してしまう直接的な原因は、原稿台ガラス６２と透明シート部材（ガイドマイラ１４）との間に形成される空気の薄膜層である。すなわち、空気層が十分に薄い場合に、原稿読取装置のランプ光（白色光）が入射されると、空気層の表面（原稿台ガラス６２と空気層との境界）の反射光と、空気層の裏面（空気層とガイドマイラ１４との境界）の反射光とが干渉し、特定の波長の光が強められて、光の干渉縞が発生するものである。
【００１６】
原稿台ガラス６２がフロートガラス材で構成されているとするとその屈折率が約１．５０、ガイドマイラ１４がポリエステルシートで構成されているとするとその屈折率は約１．６０である。空気の屈折率がほぼ１．０であることから、空気層は屈折率の高い２部材に囲まれていることになる。従って、屈折率の低い部材から高い部材へ入射された光の反射光は半波長ずれることなどを考慮し、一般的な薄膜による干渉条件は、図１９に示す式（１），（２）で表される。
【００１７】
この式（１），（２）より干渉する光の色（波長）、色の数は空気層の厚さによって異なることが分かる。一般人が縞模様の干渉縞として観測できる条件は、可視光線である４００ｎｍ〜８００ｎｍの波長の光が単色、もしくは数色で干渉している場合である。
【００１８】
各種屈折率などを考慮して上記条件を満足する空気層の厚みを求めると、一般人が縞模様の干渉縞を観測できる空気層の厚みは約１００ｎｍ〜１μｍであることが分かった。空気層の厚みを増してゆくにつれて干渉する光の色（波長）の数は多くなる。空気層が０．１ｍｍ〜１ｍｍ程度の厚みになると多くの光が干渉することから、一般人が観測する反射光は白色光となって縞模様の干渉縞は観察されない。従って、上記従来のＡＤＦ装置においては、読取ポイントＱ上で約１００ｎｍ〜１μｍの空気層が形成されたために、読取画像に干渉縞が発生したと考えられる。
【００１９】
上記従来のＡＤＦ装置において、原稿の先端が読取前ローラ１１を通過し、読取ポイントＱ付近に差し掛かるまで、原稿の先端はガイドマイラ１４を下方に押し下げながら搬送される。その傾向は厚紙であるほど顕著である。読取ポイントＱでは、読取ガイド１３の突き当て突起１３５の有無に関わらず、ガイドマイラ１４を原稿台ガラス６２に押し付けて搬送される。しかし、ミクロ的にみると、原稿の先端は幅方向に亘って一定の圧力でガイドマイラ１４を押し下げているのではなく、斜行状況や紙種などに応じて局部的にガイドマイラ１４を原稿台ガラス６２に当接させたり、１００ｎｍ〜１μｍの浮きを作ってしまうことが考えられる。また、ガイドマイラ１４の表面にゴミなどが付着したりすることによって、局部的に原稿台ガラスに当接したり、浮きができてしまうこともある。部品の公差的にも１００ｎｍ〜１μｍの隙間は寸法上管理できない寸法である。以上のことから、ＡＤＦモードで読み取った画像に不規則な縞模様の干渉縞が発生する。
【００２０】
本発明は上記従来の問題点に鑑み、透明シート部材が局所的に原稿台ガラスに当接して形成される微少の空気層による不規則な干渉縞の発生を抑えることができる原稿送り装置を提供することを目的とする。
【００２１】
【課題を解決するための手段】
上記目的を達成するために、本発明の原稿送り装置では、シート原稿を画像読取手段で読み取るために透明平面板上の画像読取位置へ搬送する搬送手段と、前記搬送手段により搬送されるシート原稿の裏面側を前記画像読取位置近傍においてガイドするガイド手段と、前記ガイド手段と所定の間隔をもって対向し、前記シート原稿の表面側をガイドする透明シート部材と、前記画像読取位置近傍における前記透明シート部材と前記透明平面板との間隔を所定量に保持する間隔保持手段とを備えたことを特徴とする。
【００２２】
【発明の実施の形態】
以下、本発明の実施の形態を図面に基づいて説明する。
【００２３】
［第１実施形態］
＜画像形成装置＞
図１は、本発明の第１実施形態に係る原稿送り装置を備えた画像形成装置を示す全体構成図である。
【００２４】
この画像形成装置は、画像形成装置本体１０１の上に画像読取部（以下、スキャナ部）９０が置かれ、さらにその上に、本発明の原稿送り装置である自動原稿搬送装置（以下、ＡＤＦ装置）３０が装着された、構成である。
【００２５】
図１中の１１３は画像書き込み用のレーザースキャナであり、スキャナ部９０によって読み取られた画像に対して画像処理した後、この画像処理後の記録信号に応じてレーザー光が画像形成ドラム１０８に対し照射されて潜像が形成される。さらに図示しないトナー供給装置から供給されたトナーによって前記潜像に基づいたトナー像が形成される。
【００２６】
１０２は紙あるいはシートフィルム等の記録シートを収容するカセットである。記録信号に応じてカセット１０２から記録シートがピックアップローラ１０３によりピックアップされ、搬送ローラ１０４及び分離ローラ１０５によって一枚ずつ感光体ドラム１０８と対向する位置まで供給された後、転写装置１０９によって、感光体ドラム１０８に形成されたトナー像が記録シート上に転写される。
【００２７】
そして、トナー像が転写された記録シートは、定着装置１１０に送られて定着される。記録シートの両面に画像を形成する場合、定着装置１１０によって画像が定着された記録シートは、定着装置１１０の下流側に設けられた排出ローラ１１１により排紙トレイ１１２に排出される。
【００２８】
＜スキャナ部＞
図２は、図１に示したスキャナ部９０の要部を示す断面図である。
【００２９】
スキャナ部９０の上面には平置きされた原稿を読み取るための原稿台ガラス６２が装着され、ＡＤＦ装置３０は、原稿台ガラス６２に対して開閉可能に装着され、原稿抑えとしての役割を果たす。スキャナ部９０には、画像読取キャリッジ５０が図２中の矢印Ａ方向にガイド軸５７に沿って移動可能に装着され、平置きされた原稿をスキャン可能とする。
【００３０】
駆動伝達は、不図示のモータより駆動ギヤ５８、駆動プーリ５９，６０、及び駆動ベルト６１を介し、画像読取キャリッジ５０に伝達される。この画像読取キャリッジ５０には原稿を照射するランプ５１、反射ミラー５２，５３，５４、レンズ５５、及び光電変換素子５６が搭載されている。ランプ光は白色光であり、ランプ５１により照射された原稿画像は反射ミラー５２，５３，５４を介し、レンズ５５を経て光電変換素子５６へ導かれる。ＡＤＦ装置３０により搬送される原稿を読み取る場合は、この画像読取キャリッジ５０が所定の読み取りポイントＱの位置まで移動、停止した状態で読み取りが行われる。
【００３１】
＜ＡＤＦ装置＞
第１実施形態に係るＡＤＦ装置３０について図３、図４及び図５を用いて説明する。
【００３２】
図３は、本実施形態に係るＡＤＦ装置３０の要部を示す断面図であり、図４は、図３で示したＡＤＦ装置３０の読取ポイント付近の構成を示す拡大図である。また図５は、図４におけるＡ−Ａ断面図であり、読取ポイントにおける原稿幅方向の断面を示すものである。なお、図３、図４及び図５において、図１５、図１６、及び図１７と同一部材又は同一機能のものは同一符号で示し、その説明を省略する。
【００３３】
本実施形態に係るＡＤＦ装置３０の読取ポイントＱには、図４及び図５に示すように、原稿台ガラス６２上の原稿幅方向両端にスペーサ２２があり、そのスペーサ２２上にガイドマイラ１４を挟んで読取ガイド１３の突き当て突起１３５が当接するように、ばね２１により読取ガイド１３が付勢されている。スペーサ２２は、ガイドマイラ１４と原稿台ガラス６２との間に形成される空気層が干渉縞を発生させない間隔になるように、ガイドマイラ１４を保持するためのものであり、余裕をもって３００μｍ程度の厚みで構成されている。
【００３４】
ガイドマイラ１４は、例えばポリエステルシートなどの透明プラスティックシート部材であり、厚みは１００μｍ程度である。このガイドマイラ１４は、一端がマイラホルダ１９のボス部１９ａで係止され、もう一端が読取ポイントＱを経て排紙ガイド２０に乗っており、原稿搬送方向に湾曲した状態で装着されている。それ故に、読取ポイントＱ付近のガイドマイラ１４は腰付けされ、原稿幅方向に亘って真っ直ぐに張った状態になる。従って、マイラホルダ１９の原稿幅方向両端のみにスペーサ２２を設けるだけでも、原稿台ガラス６２との間隔を原稿幅方向全域に亘って確保することができる。本実施形態においては、原稿の坪量を６０ｇ〜１１０ｇの範囲で想定しており、ガイドマイラ１４を下方に押し下げる最も厳しい１１０ｇの場合においても、１００μｍ以上の間隔は確保される。
【００３５】
図６は、スキャナ部９０上の構成を示す斜視図である。
【００３６】
原稿幅方向両端に設けられるスペーサ２２の一つは、ブックモード読取時の副走査方向の原稿突き当て基準６４を代用するとよい。もう一端には、原稿台ガラス６２上のＡＤＦモードの読取ポイントに相当する位置に同じ高さのスペーサ２２を設ける。また、図７に示すように、スペーサ２２をガイドマイラ１４自体に装着した構成にしてもよい。
【００３７】
このように、本実施形態の構成のＡＤＦ装置３０では、スペーサ２２を設けることによって、ガイドマイラ１４と原稿台ガラス６２との間隔が３００μｍ程度で保持される。そのため、ＡＤＦモードで読み取った画像に縞模様の干渉縞が発生するのを防ぐことができる。また、読取ガイド１３に設けられた突き当て突起１３５がガイドマイラ１４を挟んでスペーサ２２に当接するように読取ガイド１３をスキャナ部９０側に付勢することによって、読取ガイド１３とガイドマイラ１４との間隔、及びガイドマイラ１４と原稿台ガラス６２との間隔を所定量に位置決めすることができる。
【００３８】
［第２実施形態］
図８は、本発明の第２実施形態に係る原稿送り装置の読取ポイント付近の構成を示す拡大図であり、図９は、図８中の突き当て突起の構成を示す斜視図である。なお、図１５及び図１６と同一部材又は同一機能のものは同一符号で示し、その説明を省略する。
【００３９】
第２実施形態に係るＡＤＦ装置３１では、読取ガイド１３に原稿台ガラス６２と直接当接する突き当て突起１３５が設けられ、突き当て突起１３５にガイドマイラ１４を原稿台ガラス６２と離間させて保持するための切欠き溝１３５ａが設けられている。切欠き溝１３５ａの位置は、原稿台ガラス６２とガイドマイラ１４との間隔を３００μｍ程度確保するように設けられている。
【００４０】
ガイドマイラ１４は、原稿幅方向両端に設けられた突き当て突起１３５の切欠き溝１３５ａを通して装着される。ガイドマイラ１４を原稿幅方向２点で支える構成であるが、上記第１実施形態で説明した通り、ガイドマイラ１４は、湾曲した状態で装着されることから、腰付けされ、原稿幅全域に亘って原稿台ガラス６２との間隔は確保される。従って、第１実施形態と同様に、ガイドマイラ１４は干渉縞が観察されない位置にまで原稿台ガラス６２と間隔を空けて配置されているため、読取画像に干渉縞の発生を抑えることができる。
【００４１】
また、切欠き溝１３５ａのガイドマイラ１４の保持力を確実するため、図１０のように切欠き溝１３５ａに合わせてガイド部１３５ｂを設けても効果的である。
【００４２】
さらに、第２実施形態の応用として、図１１のような構成も考えられる。すなわち、読取ガイド１３の突き当て突起１３５をテーパー形状で構成し、且つガイドマイラ１４に嵌合用の穴を設けておき、ガイドマイラ１４を突き当て突起１３５に軽くかしめて固定する方法である。固定する位置は、上述の切欠き溝１３５ａを用いた構成と同様である。これにより、ガイドマイラ１４と原稿台ガラス６２との間隔を確保する。図中の１３５ｃはガイドマイラ１４の落ち防止用の止め部材で、ゴムなどの弾性部材で構成されており、突き当て突起１３５に嵌合して固定される。
【００４３】
第２実施形態のＡＤＦ装置３１では、読取ガイド１３の突き当て突起１３５を原稿台ガラス６２に当接させ、突き当て突起１３５自体にガイドマイラ１４を保持する手段を設けてガイドマイラ１４と原稿台ガラス６２との間隔を確保する。従って、ＡＤＦモードで読み取った画像に縞模様の干渉縞が発生することを防ぐことができる。
【００４４】
［第３実施形態］
図１２は、本発明の第３実施形態に係る原稿送り装置の読取ポイント付近の構成を示す拡大図であり、図１５及び図１６と同一部材又は同一機能のものは同一符号で示し、その説明を省略する。
【００４５】
第３実施形態のＡＤＦ装置３２では、読取ポイントＱの上流側で通紙面裏側からガイドマイラ１４を持ち上げるように補助マイラ２３が設けられている。補助マイラ２３は、一端がマイラホルダ１９に両面テープなどで固着され、もう一端が自由端となってガイドマイラ１４を読取ガイド１３側に持ち上げている。補助マイラ２３は弾性的性質を有する任意のプラスチックフィルムを使用できるもので、例えばポリエステルシートで構成されており、厚さは２００μｍ程度で原稿幅に亘って設けられている。
【００４６】
補助マイラ２３として弾性部材を用いる理由は、例えば厚紙原稿が作用点を通過する際にショックを生じ、先端レジストや斜行といった搬送不良を起こさないためである。読取ポイントＱの下流側には、第１及び第２実施形態では読取ポイントＱ上に配置されていた読取ガイド１３の突き当て突起１３５が設けられている。突き当て突起１３５はガイドマイラ１４を挟んで原稿台ガラス６２に当接している。
【００４７】
以上のように、読取ポイントＱ上流側でガイドマイラ１４を持ち上げ、下流側で原稿台ガラス６２に当接させることによって、読取ポイントＱ上のガイドマイラ１４と原稿台ガラス６２との間隔Ｈ１を設ける。間隔Ｈ１は、第１及び第２実施形態と同様に３００μｍ程度の隙間であり、厚紙が通紙されたときにでも１００〜２００μｍの間隔は確保される。
【００４８】
読取ポイントＱ上のガイドマイラ１４と原稿台ガラス６２との間隔Ｈ１は、図１３に示す連立方程式より導くことができる。
【００４９】
図１３に示した（３）式は、補助マイラ２３の持ち上げ高さＨ２から比で間隔Ｈ１を求めた式である。Ｈ２は原稿搬送時に受ける荷重によってたわみ量δが異なるため、たわみ量δと補助マイラ２３の固定端との関係を（４）式で表している。（５）式は片持ち支持時のたわみの式である。
【００５０】
以上の関係から、間隔Ｈ１は２００〜３００μｍになるように求めていけばよい。本実施形態では、突き当て突起１３５を読取ポイントＱから下流側に８ｍｍ程度ずらし、補助マイラ２３の先端が読取ポイントＱから７ｍｍ程度に位置し６００μｍ程度ガイドマイラ１４を持ち上げることによって、読取ポイントＱのガイドマイラ１４と原稿台ガラス６２との間隔を２００μｍ以上に確保している。
【００５１】
上述のような構成のＡＤＦ装置３２では、読取ポイントＱの上流側で通紙面裏側から補助マイラ２３によってガイドマイラ１４を持ち上げ、且つガイドマイラ１４を挟んで原稿台ガラス６２に当接する読取ガイド１３の突き当て突起１３５を読取ポイントＱより下流側に配置することによって、読取ポイントＱにおけるガイドマイラ１４と原稿台ガラス６２との間隔を確保する。従って、ＡＤＦモードで読み取った画像に縞模様の干渉縞が発生することを防ぐことができる。
【００５２】
［第４実施形態］
図１４は、本発明の第４実施形態に係る原稿送り装置の読取ポイント付近の構成を示す拡大図である。図１５及び図１６と同一部材又は同一機能のものは同一符号で示し、その説明を省略する。
【００５３】
第４実施形態のＡＤＦ装置３２では、上記第３実施形態において、補助マイラ２３と突き当て突起１３５の位置関係が反対になるにようになっている。すなわち、読取ポイントＱの下流側で通紙面裏側からガイドマイラ１４を持ち上げるように補助マイラ２３が設けられている。補助マイラ２３は、一端が排紙ガイド２０に高さ調整のためのスペーサ２０ａを介して固着され、もう一端が自由端となってガイドマイラ１４を読取ガイド１３側に持ち上げている。
【００５４】
補助マイラ２３は第３実施形態と同様に、例えばポリエステルシートで構成されており、厚さは２００μｍ程度で原稿幅に亘って設けられている。読取ポイントＱの上流側には、第１及び第２実施形態では読取ポイントＱ上に配置されていた読取ガイド１３の突き当て突起１３５が設けられている。突き当て突起１３５はガイドマイラ１４を挟んで原稿台ガラス６２に当接している。
【００５５】
以上のように、読取ポイントＱ上流側で原稿台ガラス６２に当接させ、下流側でガイドマイラ１４を持ち上げることによって、読取ポイントＱ上のガイドマイラ１４と原稿台ガラス６２との間隔Ｈ１を設けている。間隔Ｈ１は、第１、第２、及び第３実施形態と同様に３００μｍ程度の隙間であり、厚紙が通紙されたときにでも１００〜２００μｍの間隔は確保される。第３実施形態と同様に、各種寸法関係は、図１３に示した（３）〜（５）式の関係が成立する。
【００５６】
上述のような構成のＡＤＦ装置３３では、読取ポイントＱの下流側で通紙面裏側から補助マイラ２３によってガイドマイラ１４を持ち上げ、且つガイドマイラ１４を挟んで原稿台ガラス６２に当接する読取ガイド１３の突き当て突起１３５を読取ポイントＱより上流側に配置することによって、読取ポイントＱにおけるガイドマイラ１４と原稿台ガラス６２との間隔を確保する。従って、ＡＤＦモードで読み取った画像に縞模様の干渉縞が発生することを防ぐことができる。
【００５７】
［実施態様］
本発明の実施態様の例を以下に列挙する。
【００５８】
＜実施態様１＞
画像読取手段の上方に載置され、シート原稿がセットされる原稿トレイと、前記原稿トレイ上のシート原稿を前記画像読取手段で読み取るために透明平面板上の画像読取位置へ搬送する上流側搬送手段と、前記画像読取位置を通過したシート原稿を排出トレイへ搬送する下流側搬送手段と、前記透明平面板と前記上流側搬送手段及び前記下流側搬送手段の間に配置され、搬送されるシート原稿の裏面側をガイドするガイド手段と、前記ガイド手段と所定の間隔をもって対向し、搬送されるシート原稿の表面側をガイドする透明シート部材と、前記画像読取位置における前記透明シート部材と前記透明平面板との間隔を所定量に保持する手段を備えたことを特徴とする原稿送り装置。
【００５９】
＜実施態様２＞
画像読取手段の上方に載置され、シート原稿がセットされる原稿トレイと、前記原稿トレイ上のシート原稿を前記画像読取手段で読み取るために透明平面板上の画像読取位置へ搬送する上流側搬送手段と、前記画像読取位置を通過したシート原稿を排出トレイへ搬送する下流側搬送手段と、前記透明平面板と前記上流側搬送手段及び前記下流側搬送手段の間に配置され、搬送されるシート原稿の裏面側をガイドするガイド手段と、前記ガイド手段と所定の間隔をもって対向し、搬送されるシート原稿の表面側をガイドする透明シート部材と、前記ガイド部材に設けられ、該ガイド部材と透明シート部材との間隔を所定量に保持するための突起部材と、前記透明平面板と前記透明シート部材との間隔を所定量に保持するためのスペーサ部材と備えたことを特徴とする原稿送り装置。
【００６０】
＜実施態様３＞
前記突起部材が前記透明シート部材を挟んで前記スペーサ部材に当接するように前記ガイド部材を付勢する付勢手段を設けたことを特徴とする、実施態様２の原稿送り装置。
【００６１】
＜実施態様４＞
前記スペーサ部材は、前記読取手段の原稿台ガラスの上に設けられていることを特徴とする、実施態様２及び実施態様３の原稿送り装置。
【００６２】
＜実施態様５＞
前記スペーサ部材は、前記透明シート部材に設けられていることを特徴とする、実施態様２及び実施態様３の原稿送り装置。
【００６３】
＜実施態様６＞
画像読取手段の上方に載置され、シート原稿がセットされる原稿トレイと、前記原稿トレイ上のシート原稿を前記画像読取手段で読み取るために透明平面板上の画像読取位置へ搬送する上流側搬送手段と、前記画像読取位置を通過したシート原稿を排出トレイへ搬送する下流側搬送手段と、前記透明平面板と前記上流側搬送手段及び前記下流側搬送手段の間に配置され、搬送されるシート原稿の裏面側をガイドするガイド手段と、前記ガイド手段と所定の間隔をもって対向し、搬送されるシート原稿の表面側をガイドする透明シート部材と、前記ガイド部材に設けられ、前記画像読取手段との間隔を所定量に保持するための突起部材と、前記突起部材に前記画像読取手段と前記透明シート部材との間隔を所定量に保持するためのシート保持手段を設けたことを特徴とする、原稿送り装置。
【００６４】
＜実施態様７＞
前記シート保持手段は、前記突起部材に切欠き溝を設け、該切欠き溝に前記透明シート部材を通すことによって構成されることを特徴とする、実施態様６の原稿送り装置。
【００６５】
＜実施態様８＞
画像読取手段の上方に載置され、シート原稿がセットされる原稿トレイと、前記原稿トレイ上のシート原稿を前記画像読取手段で読み取るために透明平面板上の画像読取位置へ搬送する上流側搬送手段と、前記画像読取位置を通過したシート原稿を排出トレイへ搬送する下流側搬送手段と、前記透明平面板と前記上流側搬送手段及び前記下流側搬送手段の間に配置され、搬送されるシート原稿の裏面側をガイドするガイド手段と、前記ガイド手段と所定の間隔をもって対向し、搬送されるシート原稿の表面側をガイドする透明シート部材と、前記ガイド部材に設けられ、透明シート部材との間隔を所定量に保持するための突起部材と、
読取位置の上流側で通紙面裏側から前記透明シート部材を持ち上げるシート持ち上げ手段を設けるとともに、前記突起部材を読取位置より下流側に配置することによって読取位置における前記透明シート部材と前記画像読取手段との間隔を所定量に保持することを特徴とする、原稿送り装置。
【００６６】
＜実施態様９＞
画像読取手段の上方に載置され、シート原稿がセットされる原稿トレイと、前記原稿トレイ上のシート原稿を前記画像読取手段で読み取るために透明平面板上の画像読取位置へ搬送する上流側搬送手段と、前記画像読取位置を通過したシート原稿を排出トレイへ搬送する下流側搬送手段と、前記透明平面板と前記上流側搬送手段及び前記下流側搬送手段の間に配置され、搬送されるシート原稿の裏面側をガイドするガイド手段と、前記ガイド手段と所定の間隔をもって対向し、搬送されるシート原稿の表面側をガイドする透明シート部材と、前記ガイド部材に設けられ、透明シート部材との間隔を所定量に保持するための突起部材と、読取位置の下流側で通紙面裏側から前記透明シート部材を持ち上げるシート持ち上げ手段を設けるとともに、前記突起部材を読取位置より上流側に配置することによって読取位置における前記透明シート部材と前記画像読取手段との間隔を所定量に保持することを特徴とする、原稿送り装置。
【００６７】
＜実施態様１０＞
前記シート持ち上げ手段は、シート状の弾性部材で構成されていることを特徴とする、実施態様８又は実施態様９の原稿送り装置。
【００６８】
＜実施態様１１＞
実施態様１〜実施態様１０の原稿送り装置を備えたことを特徴とする原稿読取装置、又は画像形成装置。
【００６９】
【発明の効果】
以上の説明したように本発明の原稿送り装置によれば、画像読取位置近傍における透明シート部材と透明平面板との間隔を所定量に保持する間隔保持手段を設けたので、透明シート部材が局所的に透明平面板に当接して形成される微少の空気層による不規則な干渉縞の発生を抑えることができる。これにより、本発明の原稿送り装置を用いた画像形成装置等では、ＡＤＦモードで読み取った画像に縞模様の干渉縞が形成されることなく、高品質の画像形成が可能になる。
【図面の簡単な説明】
【図１】本発明の第１実施形態に係る原稿送り装置を備えた画像形成装置を示す全体構成図である。
【図２】図１に示したスキャナ部９０の要部を示す断面図である。
【図３】第１実施形態に係るＡＤＦ装置３０の要部を示す断面図である。
【図４】図３で示したＡＤＦ装置３０の読取ポイント付近の構成を説明する拡大図である。
【図５】図４におけるＡ−Ａ断面図である。
【図６】スキャナ部９０上の構成を示す斜視図である。
【図７】第１実施形態の応用例に用いられるガイドマイラの構成を説明する斜視図である。
【図８】本発明の第２実施形態に係る原稿送り装置の読取ポイント付近の構成を示す拡大図である。
【図９】図８中の突き当て突起の構成を示す斜視図である。
【図１０】第２実施形態の応用例に用いられる読取ガイドの突き当て突起部の概略構成を示す斜視図である。
【図１１】第２実施形態の別の応用例に用いられる読取ガイドの突き当て突起部の概略構成を示す斜視図である。
【図１２】本発明の第３実施形態に係る原稿送り装置の読取ポイント付近の構成を示す拡大図である。
【図１３】読取ポイントＱ上のガイドマイラ１４と原稿台ガラス６２との間隔を求める式を示す図である。
【図１４】本発明の第４実施形態に係る原稿送り装置の読取ポイント付近の構成を示す拡大図である。
【図１５】従来のＡＤＦ装置の一例を示す構成図である。
【図１６】従来のＡＤＦ装置の主要部分を拡大した断面図である。
【図１７】図１６におけるＡ−Ａ断面図である。
【図１８】縞模様の干渉縞の発生状態を示す図である。
【図１９】薄膜による干渉条件を求める式を示す図である。
【符号の説明】
１  原稿給紙トレイ
３  ピックアップローラ
１３  読取ガイド
１４  ガイドマイラ
１７  排出トレイ
２２  スペーサ
３０  ＡＤＦ装置
６２  原稿台ガラス
６３、６４  原稿突き当て基準
９０  スキャナ部
１０１  画像形成装置本体
１３５  突き当て突起
１３５ａ  切欠き溝
１３５ｂ  ガイド部
Ｑ  読取ポイント
【図１】
2004250147.tif 000003
【図２】
2004250147.tif 000004
【図３】
2004250147.tif 000005
【図４】
2004250147.tif 000006
【図５】
2004250147.tif 000007
【図６】
2004250147.tif 000008
【図７】
2004250147.tif 000009
【図８】
2004250147.tif 000010
【図９】
2004250147.tif 000011
【図１０】
2004250147.tif 000012
【図１１】
2004250147.tif 000013
【図１２】
2004250147.tif 000014
【図１３】
2004250147.tif 000015
【図１４】
2004250147.tif 000016
【図１５】
2004250147.tif 000017
【図１６】
2004250147.tif 000018
【図１７】
2004250147.tif 000019
【図１８】
2004250147.tif 000020
【図１９】
2004250147.tif 000021